(57)【特許請求の範囲】
【請求項１】
画像信号の入力を受け付ける画像入力手段と、
入力された前記画像信号について、前記画像信号により示される画像の所定方向における位置と該位置における信号レベルの大きさとの関係を表す波形を生成する波形生成手段と、
前記画像信号により示される画像内の領域を指定する領域指定手段と、
表示装置に前記画像信号により示される画像および前記波形を表示する表示手段と、
前記領域指定手段によって指定された領域とそれ以外の領域に含まれる画像信号の波形を、表示方法を異ならせて表示するように前記表示手段を制御する制御手段と、を備え、  前記波形生成手段は、前記所定方向における各位置で前記画像信号の各信号を信号レベルの高さごとに計数し、当該計数結果に応じた前記波形を生成し、
前記制御手段は、前記領域指定手段により指定された領域に含まれる画像信号の波形の信号レベルが、所定の範囲に含まれているか否かに応じて、該波形の表示方法を異ならせることを特徴とする表示制御装置。
【請求項２】
前記波形生成手段は、前記計数が多い信号レベルほど高い輝度で表示されるように前記波形を生成することを特徴とする請求項１に記載の表示制御装置。
【請求項３】
前記制御手段は、前記領域指定手段により指定された領域に含まれる画像信号に対応する波形を、前記指定された領域以外の領域に含まれる画像信号に対応する波形より優先して前記表示手段に表示させることを特徴とする請求項１または２に記載の表示制御装置。
【請求項４】
信号レベルの前記所定の範囲を指定するレベル指定手段をさらに備えることを特徴とする請求項１乃至３のいずれか１項に記載の表示制御装置。
【請求項５】
前記画像信号により示される画像の、前記指定された領域に含まれ、信号レベルが前記所定の範囲に含まれる領域に特殊パターンを重畳する重畳手段をさらに備えることを特徴とする請求項１乃至４のいずれか１項に記載の表示制御装置。
【請求項６】
前記制御手段は、前記画像信号により示される画像に、前記波形と前記特殊パターンとを重畳して前記表示手段に表示させることを特徴とする請求項５に記載の表示制御装置。
【請求項７】
前記特殊パターンは、ゼブラパターンであることを特徴とする請求項５又は請求項６に記載の表示制御装置。
【請求項８】
前記波形生成手段は、メモリのアクセス制御を行うメモリ制御手段を有し、
前記メモリ制御手段は、前記画像信号が入力されると、前記メモリの、当該画像信号により示される画像の前記所定方向における位置に対応するアドレスに記憶されたデータを読み出し、該データに所定値を加算したものを同一アドレスに書き戻し、
前記波形生成手段は、前記メモリのアドレスと、該アドレスに記憶されたデータに基づいて前記波形を生成することを特徴とする請求項１乃至７のいずれか１項に記載の表示制御装置。
【請求項９】
前記制御手段は、前記領域指定手段によって指定された領域とそれ以外の領域に含まれる画像信号の波形の表示色を異ならせて前記表示手段に表示させることを特徴とする請求項１乃至８のいずれか１項に記載の表示制御装置。
【請求項１０】
前記制御手段は、前記領域指定手段によって指定された領域に含まれる画像信号の波形のうち、信号レベルが前記所定の範囲に含まれる波形の表示色をさらに異ならせて前記表示手段に表示させることを特徴とする請求項９に記載の表示制御装置。
【請求項１１】
前記領域指定手段は、前記画像信号により示される画像における顔領域、フォーカス領域、及びユーザによって設定される領域のいずれか１つを指定することを特徴とする請求項１乃至１０のいずれか１項に記載の表示制御装置。
【請求項１２】
撮像手段と、
前記撮像手段による撮像の露出を制御する露出制御手段と、
請求項１乃至１１のいずれか１項に記載の表示制御装置と、
表示装置と、
を有することを特徴とする撮像装置。
【請求項１３】
前記表示制御装置の前記表示手段は、前記撮像手段により取得される画像信号により示される画像を順次、前記表示装置に表示させることを特徴とする請求項１２に記載の撮像装置。
【請求項１４】
画像入力手段が、画像信号の入力を受け付ける画像入力工程と、
波形生成手段が、入力された前記画像信号について、前記画像信号により示される画像の所定方向における位置と該位置における信号レベルの大きさとの関係を表す波形を生成する波形生成工程と、
領域指定手段が、前記画像信号により示される画像内の領域を指定する領域指定工程と、
表示手段が、表示装置に前記画像信号により示される画像および前記波形を表示する表示工程と、
制御手段が、前記領域指定工程において指定された領域とそれ以外の領域に含まれる画像信号の波形を、表示方法を異ならせて表示するように制御する制御工程と、を備え、
前記波形生成手段は前記波形生成工程において、前記所定方向における各位置で前記画像信号の各信号を信号レベルの高さごとに計数し、当該計数結果に応じた前記波形を生成し、
前記制御手段は前記制御工程において、前記領域指定工程において指定された領域に含まれる画像信号の波形の信号レベルが、所定の範囲に含まれているか否かに応じて、該波形の表示方法を異ならせることを特徴とする表示制御方法。
【発明の詳細な説明】
【技術分野】
【０００１】
本発明は、入力された画像の信号レベルの波形の表示制御に関する。
【背景技術】
【０００２】
ビデオカメラ等の撮像装置においては、ユーザがビューファインダーに表示された被写体像を見ながら、手動操作によって主要被写体が適正な露出になっているかどうかを判定して絞りやシャッタスピードや感度等を調整することにより、露出調整が可能である。このような装置の中には、撮像された画像信号の輝度レベルの分布状況をグラフ化してヒストグラム表示するものがあり、ユーザは撮像する画像の露出状態を確認できる（特許文献１）。
【０００３】
また、撮像している画像内の特定の範囲の輝度レベルの領域に、縞模様（ゼブラパターン）を表示させる機能を有するものがある。例えば人の肌に対して露出調整を行う場合、ユーザは適正露出の輝度レベルの範囲を白７５％〜８０％に対応する輝度（Ｙ＝１８０〜１９１）に設定することで、適正露出になった被写体像の領域にゼブラパターンが表示される。その他、例えば適正露出の輝度レベルの範囲を白１００％（Ｙ＝２５５）以上に設定することで、撮像を行うと白飛びしてしまう領域にゼブラパターンが表示される。特許文献２には、顔が検出された場合に、顔領域と顔領域のヒストグラムとの対応関係を模様や色で識別可能に表示する技術が開示されている。
【先行技術文献】
【特許文献】
【０００４】
【特許文献１】特開平７−３８８０１号公報
【特許文献２】特開２００８−１７２７３２号公報
【発明の概要】
【発明が解決しようとする課題】
【０００５】
しかしながら、特許文献１のように、画像とともにヒストグラム表示を行う場合、ヒストグラムには画像全体の輝度レベルが波形表示されるため、例えば画面内の注目領域の輝度レベルを識別することができなかった。
また、特許文献２では、検出された顔領域に対して模様や色を表示させた際に、顔領域の輝度レベルを確認することはできるが、顔領域の画面内における位置との関連づけがされていなかったため、直感的に判断することが難しい場合があった。
本発明は、上述の問題点に鑑みてなされたものであり、注目領域の信号レベルを識別可能にすることを目的とする。
【課題を解決するための手段】
【０００６】
前述の目的を達成するために、本発明の表示制御装置は、画像信号の入力を受け付ける画像入力手段と、入力された画像信号について、画像信号により示される画像の所定方向における位置と該位置における信号レベルの大きさとの関係を表す波形を生成する波形生成手段と、画像信号により示される画像内の領域を指定する領域指定手段と、表示装置に画像信号により示される画像および波形を表示する表示手段と、領域指定手段によって指定された領域とそれ以外の領域に含まれる画像信号の波形を、表示方法を異ならせて表示するように表示手段を制御する制御手段と、を備え、波形生成手段は、所定方向における各位置で画像信号の各信号を信号レベルの高さごとに計数し、当該計数結果に応じた波形を生成し、制御手段は、領域指定手段により指定された領域に含まれる画像信号の波形の信号レベルが、所定の範囲に含まれているか否かに応じて、該波形の表示方法を異ならせることを特徴とする。
【発明の効果】
【０００７】
このような構成により本発明によれば、注目領域の信号レベルを識別することができる。
【図面の簡単な説明】
【０００８】
【図１】実施形態に係るビデオカメラの機能構成を示すブロック図。
【図２】第１の実施形態における画像処理部１０８の内部構成を示すブロック図。
【図３】第１の実施形態の波形表示例を示す図。
【図４】第２、第３の実施形態における画像処理部１０８の内部構成を示すブロック図。
【図５】第２の実施形態の波形表示例を示す図。
【図６】第３の実施形態の波形表示例を示す図。
【図７】実施形態におけるカラーデーブルを示す図。
【発明を実施するための形態】
【０００９】
以下、本発明を適用した好適な一実施形態について、図面を参照して詳細に説明する。
【００１０】
（第１の実施形態）
図１は、本発明の第１の実施形態に係るビデオカメラの構成を示すブロック図である。１０１はズーム機構を含む撮影レンズである。１０２は光量を制御する絞りである。１０３はＡＥ処理部である。１０４は撮像素子上に焦点をあわせるためのフォーカスレンズである。１０５はＡＦ処理部である。１０６はフォーカスレンズ１０４を介して入力される被写体からの反射光を電気信号に変換する撮像素子である。１０７は撮像素子１０６の出力ノイズを除去するＣＤＳ回路やＡ／Ｄ変換前に行う非線形増幅回路を含むＡ／Ｄ変換部である。１１６はカメラ信号処理部である。１２０はカメラ信号処理部１１６で処理された画像信号を用いて顔検出を行い、検出した一つ又は複数の顔領域（位置・大きさ）をシステム制御部１１２に送る顔検出モジュールである。後述するが、本実施形態では、画像の指定領域（注目領域）として顔検出モジュール１２０で検出された顔領域を用いる。１０８は画像処理部である。この画像処理部１０８については後述する。１０９はフォーマット変換部である。１１０は高速な内蔵メモリ(例えばランダムアクセスメモリ等、以下ＤＲＡＭと称す)である。１１１はメモリカード等の記録媒体とそのインタフェースからなる画像記録部である。１１２は撮影シーケンスや画像の表示等の装置全体の動作を制御するシステム制御部である。１１３は画像表示用メモリ(以下、ＶＲＡＭと称す)である。１１４は、操作補助のための表示や、撮影の際の撮影画面の表示、入力画像の波形の表示を行う表示部である。１１５は光学ズーム動作や電子ズーム動作等、カメラを外部から操作するための操作部である。後述するが、操作部１１５により波形表示の際の注目信号レベルの範囲の指定、画像に対する領域の指定、縞模様のゼブラパターンの表示を行う信号レベルの範囲の指定が行える。なお、本実施形態では特殊パターンの一例として、ゼブラパターンとしたが、これ以外でもよい。
【００１１】
以下、画像処理部１０８の動作の詳細について、図２を用いて説明する。図２は、画像処理部１０８の内部構成を表したブロック図である。
まず、画像処理部１０８の波形生成部２０１には、撮像素子１０６から出力されＡ/Ｄ変換部１０７でデジタル信号に変換され、カメラ信号処理部１１６でカメラ信号処理された撮像画像が画像入力される。あるいは、記録媒体から読み出されＤＲＡＭ１１０を介してフォーマット変換部１０９にて表示および出力可能にされた画像が入力される。
また、画像処理部１０８の波形生成部２０１には、予め顔検出モジュール１２０から出力され、システム制御部１１２に記憶された注目領域（顔領域）の情報が領域指定情報として入力される。
【００１２】
画像処理部１０８のレベル判定部２０２には、操作部１１５より入力された注目すべき信号レベルの範囲の指定に基づきシステム制御部１１２に記憶された、注目すべき信号レベルの情報が入力される。なお、注目すべき信号レベルの情報は、予めシステム制御部１１２に記憶された適正輝度を表す情報でも良い。
【００１３】
波形生成部２０１は、入力画像の現座標情報と波形表示する信号の輝度信号レベルをそれぞれ直交座標として考え、メモリアクセスのためのアドレスを生成する。さらに詳しくは、入力画像における水平座標を水平軸、入力画像における各画素の信号の輝度信号レベルの振幅を垂直軸にとって、２次元配列としてメモリ制御部２０５に対するアクセスを行い波形作成を行う。ここでアクセスは、該当アドレスのデータを読み出し、波形生成部２０１において、読み出したデータに信号レベルに対応する任意のゲインを乗じ、読み出したデータにゲインをかけたデータを足し込み、再びメモリ制御部２０５の同一アドレスに書き戻す処理をいう。これにより頻度が高いアドレスのデータ値が大きくなる。したがって、１フレームの処理が終了した後、表示部１１４に対して輝度分布として表示した際に、頻度が高い輝度信号レベルの部分は明るく、頻度が低い輝度信号レベルの部分は暗く見える。
上述の同一アドレスにデータを書き戻す処理の際、領域指定情報を参照して、指定領域であるか否かの情報から、データに対応する指定領域フラグをデータに対応付け、メモリ制御部２０５内のメモリバンクに保存する。
【００１４】
メモリ制御部２０５は、画像処理部１０８が備える読み書き可能なメモリである。メモリ制御部２０５は、第１のメモリバンク２０９及び第２のメモリバンク２１０を有する。一方は、波形生成部２０１が生成したデータを随時保存していく波形作成用メモリとして、他方は、撮像画像を表示部１１４に逐次出力するスルー表示のような場合に、フレームごとに輝度分布の情報を記録する波形読み出し用として、切り替えて使用される。
一方のメモリバンクへ、１フレーム分の画像信号に対応する波形データを生成し終えると、次のフレームの波形データは他方のメモリバンクへ保存される。
【００１５】
波形色制御部２０３では、現在、波形生成部２０１がアクセスしていない方のメモリバンクから、保存してある波形データを読み出す。この際、対応付けられた指定領域フラグも読み出し、指定領域であるか否か、また、レベル判定部２０２により波形データの輝度レベルが指定レベル内と判定されたか否かに基づいて、図７のようなカラーテーブルを参照して各色の波形データにする。
【００１６】
図７は波形データのカラーテーブルにおける色差CbとCrの組み合わせ値を示し、CbおよびCrの値は符号付の8ビットデータであるとする。指定領域外の表示色は図７で示すカラーテーブルA（緑）、指定領域内かつ指定レベル範囲外の表示色はカラーテーブルB（青）、指定領域内かつ指定レベル範囲内の表示色はカラーテーブルC（赤）を参照する。
その後、重畳処理部２０４にて、表示部１１４へ表示する画像データと波形データとの重畳処理を行い、フォーマット変換部１０９、ＤＲＡＭ１１０、ＶＲＡＭを経て表示部１１４へ表示する。
【００１７】
図３は、波形表示例を示す図である。
本実形態では、画像入力部１０１から入力された画像に対応する顔領域情報が、画像の指定領域であるものとしている。また輝度信号は８ビットのデータであるとし、指定レベルは白７５％〜８０％に相当する１８０〜１９１の輝度レベルとする。
【００１８】
図３（ａ）の３０１は入力画像データであり、３００は顔領域情報による指定領域とする。また、図３（ｂ）の３０２は、入力画像データの輝度信号の波形データを示す。水平軸は画像データ３０１の水平ピクセルに対応しており、垂直軸は画像データの輝度レベル分布を示す。
【００１９】
図３（ｃ）の３０３が指定領域内に存在する波形データ、３０４が指定領域外に存在する波形データである。指定領域外の波形データはカラーテーブルAを参照し緑色の波形データとなる。また、指定領域内かつ指定レベル範囲外の波形データはカラーテーブルBを参照し青色の波形データとなり、指定領域内かつ指定レベル範囲内の波形データはカラーテーブルCを参照し赤色の波形データとなる。
【００２０】
図３（ｄ）の３０５〜３０７は指定領域の輝度レベルが指定レベル範囲１９１〜１８０の間に存在するよう、露出調整を行った場合の経緯を示す。３０５では指定領域の輝度レベルが全て指定レベル範囲外に存在する為、指定領域の波形データ全てカラーテーブルBを参照し青色の波形データとなる。３０６では指定領域の輝度レベルが指定レベル範囲内である部分はカラーテーブルCを参照し赤色の波形データとなり、指定レベル範囲外である部分はカラーテーブルBを参照し青色の波形データとなる。３０７では指定領域のほぼ全てが指定レベル範囲内となり、カラーテーブルCを参照し赤色の波形データとなる。この時、指定領域内に存在する波形データと指定領域外に存在する波形データが重なる場合は、指定領域内のデータが優先され、指定領域専用カラーテーブルBまたはCを参照し青色または赤色の波形データとなる。
【００２１】
また、図３（ｅ）の３０８は、波形データを入力画像の水平ピクセルの大きさと合わせて配置し重畳処理したもの、３０９が、波形データを入力画像データの右下に配置し重畳処理したものである。
【００２２】
なお、本実施形態では、注目領域である顔領域が１つの場合について説明したが、複数の注目領域が画像内に存在する場合にも、本発明は適用可能である。その場合、注目領域の輝度レベルの波形の配色は、カラーテーブルＢ及びＣを適用してもよいし、それぞれの注目領域ごとに適正輝度レベルであるか否かによって配色を異ならせる、別のカラーテーブルを適用しても良い。
【００２３】
以上説明したように、本実施形態の表示制御装置は、入力された画像について、画像の注目領域とその他の領域について、異なる色の信号レベルの波形を生成し、画像に重畳して出力する。具体的には、表示制御装置は、入力された画像について注目領域を設定し、画像の水平ピクセル毎に、注目領域とその他の領域について、信号レベルの分布を解析する。そして、解析した信号レベルの分布から、画像の水平ピクセルに対する信号レベルの波形を生成する際に、注目領域とその他の領域について波形の色を異ならせる。また、注目領域の信号レベルの波形のうち、設定された信号レベルの範囲に含まれる波形については、さらに波形の色を異ならせる。そして、得られた信号レベルの波形を、入力された画像に重畳して出力する。
【００２４】
これにより、画像の水平ピクセルに対応した信号レベルの波形を提示することができ、さらにその中から注目領域の信号レベルの波形を、ユーザに識別させることが可能である。また、注目領域の信号レベルが設定した信号レベルの範囲に含まれる場合に、信号レベルの波形の色を異ならせることにより、ユーザが注目領域の信号レベルを、設定した信号レベルまで調整することを容易にすることができる。
【００２５】
（第２の実施形態）
以下、図面を参照しながら本発明の第２の実施形態について説明する。第２の実施形態では、縞模様のゼブラパターン機能の設定に連動して、表示する波形の色を異ならせる際の信号レベル範囲を指定する。
第２の実施形態における装置の構成は第１の実施形態と同じものであるとする。また、第２の実施形態における画像処理部１０８（図４）には、第１の実施形態において図２を用いて説明した画像処理部１０８の構成に、縞模様のゼブラパターンを生成するゼブラ生成部４０１が加わっている。なお、第１の実施形態と同様の構成要素については同一の符号を付し説明を省略する。
【００２６】
本実施形態において、操作部１１５はボタン式の操作部を含むものとし、ボタン式の操作部を1回押すごとに、モード１、モード２、モード３の順番にトグルする。
モード１では、操作部１１５にて予め設定された波形表示時における信号レベルの範囲の設定値が、画像処理部１０８のレベル判定部２０２にレベル指定範囲として設定される。  また、ゼブラパターンの表示は行わない。これを波形表示時における初期状態とする。
モード２では、ゼブラパターン機能において設定された輝度信号レベル範囲の設定値が、レベル指定範囲として設定される。このとき、表示画像にゼブラパターンは表示しない。
モード３では、ゼブラパターンを表示する輝度信号レベル範囲の設定値が、レベル指定範囲として設定される。このとき、表示画像にゼブラパターンを表示する。
【００２７】
画像処理部１０８の波形生成部２０１には、カメラ信号処理部１１６でカメラ信号処理された撮像画像が画像入力される。あるいは、記録媒体から読み出されＤＲＡＭ１１０を介してフォーマット変換部１０９にて表示および出力可能にされた画像が入力される。入力される画像の輝度信号を用いた波形データ生成方法、およびカラーテーブル参照方法は第１の実施形態と同じである。
【００２８】
波形色制御部２０３にてカラーテーブル（図７参照）を参照後、モード１およびモード２では重畳処理部２０４にて、画像表示部へ表示する画像データと波形データとの重畳処理を行い画像表示部１０３へ表示する。モード３では画像表示部へ表示する画像データにゼブラパターンを付加し、重畳処理部２０４にて波形データとの重畳処理を行い画像表示部１０３へ表示する。
【００２９】
本実施形態では、入力された画像に対応する顔領域情報が、画像の指定領域であるものとする。また輝度信号は８ビットのデータであるとし、モード１の通常状態における指定レベルは白７５％〜８０％に相当する１８０〜１９１の輝度レベルとする。また、ゼブラパターンを表示する画像領域は、輝度信号が白１００%以上に相当する２３５〜２５５の輝度レベルとする。
【００３０】
本実施形態のイメージを図５に示す。５０１は入力画像データであり、５００は顔領域情報による指定領域とする。入力画像データにゼブラパターン５１２を表示したものを５０２に示す。本実施形態では、顔領域中の鼻の部分の輝度レベルが非常に高くなっている場合を例として取り上げる。また、入力画像データの輝度信号の波形データを５０３に示す。水平軸は画像データ５０１の水平ピクセルに対応しており、垂直軸は画像データの輝度レベル分布を示す。５０４が指定領域内に存在する波形データ、５０５が指定領域外に存在する波形データである。
【００３１】
指定領域外の波形データはカラーテーブルAを参照し緑色の波形データとなる。また、指定領域内かつ指定レベル範囲外の波形データはカラーテーブルBを参照し青色の波形データとなり、指定領域内かつ指定レベル範囲内の波形データはカラーテーブルCを参照し赤色の波形データとなる。
【００３２】
５０６はモード１、５０７はモード２、５０８はモード３の場合の波形データを示す。
モード１では指定レベル範囲が１８０〜１９１であり、５０６に示すように指定領域の波形データは指定レベル範囲内外に存在する。このため、指定レベル範囲内（１８０〜１９１）の波形データについては、カラーテーブルCを参照し赤色の波形データとなる。また、指定レベル範囲外（２３５〜２５５）の波形データについては、カラーテーブルBを参照し、青色の波形データとなる。
【００３３】
モード２、モード３では指定レベル範囲が２３５〜２５５に切り替わる。５０７、５０８に示すように指定領域の波形データは指定レベル範囲内外に存在する。このため、指定レベル範囲内（２３５〜２５５）の波形データについては、カラーテーブルCを参照し赤色の波形データとなる。また、指定レベル範囲外（１８０〜１９１）の波形データについては、カラーテーブルBを参照し、青色の波形データとなる。
なお、この時、指定領域内に存在する波形データと指定領域外に存在する波形データが重なる場合は、指定領域内のデータが優先され、指定領域専用カラーテーブルBまたはCを参照し青色または赤色の波形データとなる。
【００３４】
５０９、５１０、５１１は、入力画像データに波形データを重畳処理したもので、波形データを画像の水平ピクセルと合わせて表示したものである。モード１を５０９、モード２を５１０、モード３を５１１に示す。モード３ではゼブラパターン５１２が表示される。
【００３５】
上述のように、第２の実施形態では、モードの切り替えに応じて、レベル指定範囲の設定が、簡単に変更できる。したがって、例えば、指定レベルは白７５％〜８０％に相当する１８０〜１９１の輝度レベルと、輝度信号が白１００%以上に相当する２３５〜２５５の輝度レベルとを簡単な操作で確認可能とできる。
【００３６】
つまり、操作部１１５の操作に応じて、予め設定された波形表示時における信号レベルの範囲の設定値と、ゼブラパターンを表示する輝度信号レベル範囲の設定値とを変更可能とできる。よって、画像の水平ピクセルに対応した注目領域の信号レベルの波形が所望の信号レベルの範囲に含まれるか否かをユーザが容易に確認することができる。
【００３７】
（第３の実施形態）
以下、図面を参照しながら本発明の第３の実施形態について説明する。第３の実施形態における画像処理部１０８は、第２の実施形態において図４を用いて説明した画像処理部１０８の構成と同様であるので、詳細な説明は省略する。
また、操作部１１５のボタン操作をするごとに、モード１、モード２、モード３の順番にトグルする点も第２の実施形態と同様である。
【００３８】
波形色制御部２０３にてカラーテーブル（図７参照）を参照後、モード１およびモード２では重畳処理部２０４にて、画像表示部へ表示する画像データと波形データとの重畳処理を行い画像表示部１０３へ表示する。モード３では画像表示部へ表示する画像データにゼブラパターンを付加し、重畳処理部２０４にて波形データとの重畳処理を行い画像表示部１０３へ表示する。
【００３９】
本実施例では、入力された画像に対応する顔領域情報が、画像の指定領域であるものとする。また輝度信号は８ビットのデータであるとし、モード１の通常状態における指定レベルは白１００％以上に相当する２３５〜２５５の輝度レベルとする。また、ゼブラパターンを表示する画像領域は、輝度信号が白７５％〜８０％に相当する１８０〜１９１の輝度レベルとする。
【００４０】
本実施例のイメージを図６に示す。６０１は入力画像データであり、６００は顔領域情報による指定領域とする。
入力画像データにゼブラパターン６１２を表示したものを６０２に示す。また、入力画像データの輝度信号の波形データを６０３に示す。水平軸は画像データ６０１の水平ピクセルに対応しており、垂直軸は画像データの輝度レベル分布を示す。
６０４が指定領域内に存在する波形データ、６０５が指定領域外に存在する波形データである。
【００４１】
指定領域外の波形データはカラーテーブルAを参照し緑色の波形データとなる。また、指定領域内かつ指定レベル範囲外の波形データはカラーテーブルBを参照し青色の波形データとなり、指定領域内かつ指定レベル範囲内の波形データはカラーテーブルCを参照し赤色の波形データとなる。
【００４２】
６０６はモード１、６０７はモード２、６０８はモード３の時の波形データを示す。モード１では指定レベル範囲が２３５〜２５５であり、６０６に示すように指定領域の波形データは指定レベル範囲外に存在する為、カラーテーブルBを参照し青色の波形データとなる。モード２、モード３では指定レベル範囲が１８０〜１９１に切り替わり、６０７、６０８に示すように指定領域の波形データは指定レベル範囲外に存在する為、カラーテーブルCを参照し赤色の波形データとなる。
【００４３】
このとき、指定領域内に存在する波形データと指定領域外に存在する波形データが重なる場合は、指定領域内のデータが優先され、指定領域専用カラーテーブルBまたはCを参照し青色または赤色の波形データとなる。入力画像データに波形データを重畳処理したもので、波形データを画像の水平ピクセルと合わせて表示したものでモード１を６０９、モード２を６１０、モード３を６１１に示す。モード３ではゼブラパターン６１２が表示される。
【００４４】
上述のように、第３の実施形態では、モードの切り替えに応じて、レベル指定範囲の設定が、簡単に変更できる。したがって、例えば、指定レベルは白７５％〜８０％に相当する１８０〜１９１の輝度レベルと、輝度信号が白１００%以上に相当する２３５〜２５５の輝度レベルとを簡単な操作で確認可能とできる。
【００４５】
つまり、操作部１１５の操作に応じて、予め設定された波形表示時における信号レベルの範囲の設定値と、ゼブラパターンを表示する輝度信号レベル範囲の設定値とを変更可能とできる。よって、画像の水平ピクセルに対応した注目領域の信号レベルの波形が所望の信号レベルの範囲に含まれるか否かをユーザが容易に確認することができる。
【００４６】
なお、上述の実施形態１〜３では、画像の指定領域として顔領域を用いたが、フォーカス領域情報や操作部１１５による画像データの領域指定情報を用いてもよい。
また、上述の実施形態では、信号レベルの表示に輝度レベルを参照する構成としたが、例えば色差信号やＲＧＢの各信号等でもよい。
【００４７】
また、上記の実施形態では、入力画像における水平座標を水平軸、入力画像における各画素の信号レベルの振幅を垂直軸にとった画像の水平ピクセルに対応させた波形生成および波形表示を行った（ライン表示）。しかしながら、入力画像における垂直座標を垂直軸、入力画像における各画素の信号レベルの振幅を水平軸にとった画像の垂直ラインに対応させた波形生成および波形表示でも良い（フィールド表示）。この時は画像の垂直ラインに対応した注目領域の信号レベルの波形が所望の信号レベルの範囲に含まれるか否かをユーザが容易に確認することができる。
【００４８】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005448799.tif 000002
【図２】
0005448799.tif 000003
【図４】
0005448799.tif 000004
【図３】
0005448799.tif 000005
【図５】
0005448799.tif 000006
【図６】
0005448799.tif 000007
【図７】
0005448799.tif 000008